(57)【要約】  レーダセンサ装置（２１）のための逆センサモデルを生成する方法であって、レーダセンサ装置（２１）の周囲に設定された寸法および空間的位置を有する障害物（４１〜４４）を配置するステップ（Ｓ１）；レーダセンサ装置（２１）によってレーダ測定データを生成するステップ（Ｓ２）；および、生成されたレーダ測定データと、障害物（４１〜４４）の設定された寸法および空間的位置とを使用して逆センサモデルを生成するステップ（Ｓ３）を有し、逆センサモデルが、所定のレーダ測定データの関数として占有グリッド（９）のセル（９−ｉｊ）に占有確率を割り当てる方法に関する。
2020537140.tif 000002
【特許請求の範囲】
【請求項１】
レーダセンサ装置（２１）のための逆センサモデルを生成する方法であって、以下のステップ：
レーダセンサ装置（２１）の周囲に設定された寸法および空間的位置を有する障害物（４１〜４４）を配置するステップ（Ｓ１）；
レーダセンサ装置（２１）によってレーダ測定データを生成するステップ（Ｓ２）；および
生成されたレーダ測定データと、障害物（４１〜４４）の設定された寸法および空間的位置とを使用して逆センサモデルを生成するステップ（Ｓ３）とを含み、
逆センサモデルが所定のレーダ測定データの関数として占有グリッド（９）のセル（９−ｉｊ）に占有確率を割り当てる方法。
【請求項２】
請求項１に記載の方法において、
前記レーダ測定データを生成する場合に前記レーダセンサ装置（２１）に対する前記障害物（４１〜４４）の相対位置を変更し、それぞれの相対位置についてレーダ測定データを生成する方法。
【請求項３】
請求項１または２に記載の方法において、
障害物の設定された寸法および空間的位置に基づいて前記セル（９〜ｉｊ）に占有確率を割り当て、生成されたレーダ測定データに結び付ける方法。
【請求項４】
請求項３に記載の方法において、
ニューラルネットワークによって逆センサモデルを生成し、レーダ測定データ、および生成されたレーダ測定データに結び付けられた占有確率をニューラルネットワークの入力データとして使用する方法。
【請求項５】
請求項４に記載の方法において、
さらなるセンサ装置によって、前記占有グリッド（９）の前記セル（９−ｉｊ）の占有確率を決定し、該占有確率をニューラルネットワークの付加的な入力データとして使用する方法。
【請求項６】
請求項５に記載の方法において、
前記さらなるセンサ装置がライダーセンサまたは車両カメラを含む方法。
【請求項７】
請求項１から６までのいずれか１項に記載の方法において、
逆センサモデルを生成する場合に、生成されたレーダ測定データと、前記障害物（４１〜４４）の設定された寸法および空間的位置とに基づいて決定されるレーダセンサ装置（２１）の到達範囲（ｘ３）を考慮する方法。
【請求項８】
請求項１から７までのいずれか１項に記載の方法において、
前記逆センサモデルを生成するために評価される前記レーダ測定データが、レーダ断面積および角度確率を含む方法。
【請求項９】
レーダセンサ装置（２１）によって車両（２）の周囲の障害物（４１〜４４）を検出する方法であって、以下のステップ：
請求項１から８までのいずれかに記載のレーダセンサ装置（２１）の逆センサモデルを生成するステップ（Ｓ０）；
レーダセンサ装置（２１）によって車両（２）の周囲に関するレーダ測定データを生成するステップ（Ｓ６）；
占有グリッド（９）を生成するステップ（Ｓ７）であって、レーダ測定データを使用して逆センサモデルに基づいて占有グリッド（９）のセルの占有値を決定するステップ（Ｓ７）；および
占有グリッド（９）を使用して障害物（４１〜４４）を検出するステップ（Ｓ８）を含む方法。
【請求項１０】
レーダセンサ装置（２１）のための逆センサモデルを生成するための装置（１）において、
レーダセンサ装置（２１）によって生成されたレーダ測定データおよびレーダセンサ装置（２１）の周囲の障害物（４１〜４４）の設定された寸法および空間的位置に関する情報を受信するインタフェース（１１）；および
受信したレーダ測定データと、障害物（４１）の設定された寸法および空間位置に関する情報とを使用して、レーダセンサ装置（２１）の逆センサモデルを生成する計算装置（１２）を備え、逆センサモデルが、所定のレーダ測定データの関数として占有グリッド（９）のセル（９−ｉｊ）に占有確率を割り当てる装置（１）。
【発明の詳細な説明】
【技術分野】
【０００１】
本発明は、レーダセンサ装置のための逆センサモデルを生成する方法および装置に関する。本発明は、さらに、レーダセンサ装置によって車両の周囲の障害物を検出する方法に関する。
【背景技術】
【０００２】
半自律的または自律的な運転を可能にする運転者支援システムは、車両の周囲に関する正確な情報を有している必要がある。特に、車両周辺の通行可能な領域もしくは空き領域と通行できない領域とを区別する必要がある。空き領域を決定するためには、現在は主にビデオセンサ、ステレオビデオセンサ、およびライダーセンサが使用されている。特に、これらのセンサによって生成されたセンサデータを使用して占有グリッドを生成することができる。このために、通常は車両の周囲を２次元グリッドパターンとして表し、グリッドパターンのそれぞれのセルには占有値が割り当てられる。占有値は、値「空き」と「占有」とを有する２値であってもよい。３値を使用することも可能であり、この場合、値「未知」をセルに割り当てることもできる。
【０００３】
センサデータに基づく３値のこのような割り当ては、例えば、ＤＥ１０２００９００７３９５Ｂ４により知られている。
【０００４】
現代の車両は、通常、障害物を検出するために使用される多数のレーダセンサも有している。しかしながら、占有グリッドを生成するためにレーダセンサを直接に使用することは、レーダ反射がしばしば間接的に、例えばガードレール反射または床反射を介して生成されることにより難しい。視線に沿ってビデオセンサまたはライダーセンサを使用する場合には最初の反射までは空き空間が想定できるが、このことはレーダセンサの場合には通常あてはまらない。
【発明の概要】
【０００５】
本発明は、請求項１の特徴を有するレーダセンサ装置のための逆センサモデルを生成する方法を提供する。本発明は、さらに、特許請求項９の特徴を有するレーダセンサ装置によって車両の周囲の障害物を検出する方法を提供する。最後に、本発明は、請求項１０の特徴を有するレーダセンサ装置の逆センサモデルを生成するための装置を提供する。
【０００６】
好ましい実施形態は、それぞれの従属請求項の対象である。
【０００７】
したがって、第１の態様によれば、本発明は、レーダセンサ装置のための逆センサモデルを生成する方法を提供する。レーダセンサ装置の周囲には、所定の寸法および空間的位置を有する障害物が配置されている。レーダ測定データは、レーダセンサ装置によって生成される。生成されたレーダ測定データと、障害物の設定された寸法および空間的位置とを使用して逆センサモデルが生成される。逆センサモデルは、所定のレーダ測定データの関数として占有グリッドのセルに占有確率を割り当てる。
【０００８】
したがって、第２の態様によれば、本発明は、レーダセンサ装置によって車両の周囲の障害物を検出する方法に関し、レーダセンサ装置の逆センサモデルが生成される。さらに車両の周囲に関するレーダ測定データがレーダセンサ装置によって生成される。さらに占有グリッドが生成され、逆センサモデルに基づいて、レーダ測定データを使用して占有グリッドのセルの占有値が決定される。障害物は占有グリッドを使用して検出される。
【０００９】
本発明の第３の態様によれば、レーダセンサ装置の逆センサモデルを生成するための装置が提供される。この装置は、レーダセンサ装置によって生成されたレーダ測定データを受信するインタフェースを有する。このインタフェースは、レーダセンサ装置の周囲の障害物の設定された寸法および空間的位置に関する情報を受信する。装置はさらに、受信したレーダ測定データと、障害物の設定された寸法および空間位置に関する情報とを使用して、レーダセンサ装置の逆センサモデルを生成する計算装置を備える。逆センサモデルは、所定のレーダ測定データに依存して占有グリッドのセルに占有確率を割り当てる。
【００１０】
逆センサモデルは、明確に定義されたトレーニングデータに基づいて、すなわち、テストシナリオにおいて既知の制御可能な条件下で記録されたレーダ測定データに基づいて生成される。トレーニングフェーズでは、レーダセンサ装置に対する障害物の正確な位置および障害物の正確な寸法がわかっている。したがって、生成されたレーダ測定データを車両の既知の周囲に一義的に割り当てることができる。これらの既知の値に基づいて、逆センサモデルに基づいて任意に与えられたレーダ測定データを評価することが可能となるように逆センサモデルが学習される。
【００１１】
したがって、本発明は、レーダセンサ装置のための逆センサモデルを生成することを可能にする。逆センサモデルがトレーニングシナリオに記録されたレーダデータに既に含まれているので、逆センサモデルを生成する際に、通常は計算が困難である間接的な反射も考慮される。したがって、本発明は、占有グリッドを生成するためにレーダセンサ装置を加えることを可能にする。
【００１２】
方法のさらなる好ましい実施形態によれば、レーダ測定データが生成される場合にレーダセンサ装置に対する障害物の相対位置が変更され、それぞれの相対位置についてレーダ測定データが生成される。これにより、逆センサモデルを学習するための異なるシナリオを考慮することができる。一実施形態によれば、レーダセンサ装置は、構築された障害物を有するテスト経路を通って移動され、実質的に連続的に、または特定の期間にレーダ測定データが生成される。しかしながら、レーダセンサ装置に対する障害物の向き、またはレーダセンサ装置に対する障害物の距離もしくは位置に関して、障害物をレーダセンサ装置に対して変更することも可能である。障害物の位置および向きは、互いに対して変更することができる。障害物の角度位置、距離、および障害物の形状または材料が異なっている多様なシナリオが考慮されるほど、一般に、逆センサモデルはより正確になる。特に、未知のシナリオに対する占有確率がより正確になるほど、より多くのトレーニングデータが逆センサモデルを生成するために使用されている。
【００１３】
この方法のさらなる好ましい実施形態によれば、障害物の設定された寸法および空間的位置に基づいてセルに占有確率が割り当てられ、生成されたレーダ測定データに結び付けられる。設定された寸法および空間的位置は、レーダセンサ装置の周囲の正確な占有を計算するために使用することができる。代替的または付加的に、寸法および空間的位置は、例えばカメラまたはライダー装置などの別のセンサ装置によって決定することができ、これによりあらかじめ設定することができる。いずれにせよ、障害物の寸法および空間的位置はレーダ測定値とは無関係に既知である。すなわち、寸法および位置はレーダ測定データを使用することなしに決定される。寸法および空間的位置は既知なので、テストシナリオのための占有確率を正確に示すことができる。すなわち、占有確率は、例えば、それぞれのセルについて０または１である。
【００１４】
したがってテストシナリオのための占有確率は正確にわかってるが、未知のシナリオのための占有確率は、すなわち未知のレーダ測定データは逆センサモデルによって計算される。一実施形態によれば、逆センサモデルはこのために機械学習によって生成される。特に好ましくは、逆センサモデルはニューラルネットワークによって生成され、レーダ測定データ、および生成されたレーダ測定データに結び付けられた占有確率、すなわちテストシナリオについて決定された値はニューラルネットワークの入力データとして使用される。特に好ましくは、逆センサモデルを生成するために畳み込みニューラルネットワーク（ＣＮＮまたはＣｏｎｖＮｅｔ）が使用される。特に、レーダ測定データはグリッドの形式で示すことができ、第１のグリッドは反射値に基づいて生成され、第２のグリッドは関連する半径方向速度に基づいて生成され、第３のグリッドは決定されたレーダ断面に基づいて生成される。第１〜第３のグリッドはＣＮＮの入力データとして使用される。レーダ測定のさらなる特性に基づいてさらなるグリッドを設定することができる。グリッドは、ニューラルネットワークを用いて逆センサモデルを決定するために、すなわち、設定されたレーダ測定データに占有確率を割り当てるために使用される。
【００１５】
方法のさらなる好ましい実施形態によれば、ニューラルネットワークの付加的な入力データとして使用される占有確率がさらなるセンサ装置によって決定される。これらのセンサ装置は、好ましくは、ライダーセンサまたは車両カメラを含むことができる。これらのさらなるセンサ装置のためには占有確率を決定するための公知の方法を使用することができる。特に、ライダーセンサおよび車両カメラでは一般に間接反射が生じないという状況を考慮に入れることができる。さらに、付加的なセンサ装置のセンサデータに基づいた画像処理および物体検出によって占有確率を決定することができる。ビデオデータを用いて、例えば、道路表面を検出し、通行可能として分類することができる。センサの視野内で反射が検出されないという事実から、特定の確率で物体も存在していないと結論付けることによって占有確率を間接的に決定することもできる。ライダー装置を使用する場合には占有確率は角度毎に生成することができる。占有確率は、以前の測定履歴を考慮して占有グリッドを生成するために使用することができる。複数のセンサ装置が使用される場合には、占有確率の計算前または占有確率の計算後にセンサデータを統合することができる。
【００１６】
好ましい実施形態によれば、テストシナリオに加えて、実際の走行からの測定値も考慮される。障害物の対応する寸法および空間的位置をさらなるセンサデータに基づいて提供することができる。
【００１７】
本方法の好ましい実施形態によれば、逆センサモデルを生成する場合に、生成されたレーダ測定データと、障害物の設定された寸法および空間的位置とに基づいて決定されるレーダセンサ装置の到達範囲が考慮される。テストシナリオにおいて、特定の大きさの障害物が特定の距離に存在するが、対応するレーダ反射が確認されない場合には、障害物はレーダセンサ装置の範囲外にあると結論付けることができる。一般に、レーダセンサ装置の到達範囲は固定値ではなく、レーダセンサ装置の検出精度が低下し、実質的にゼロになる連続的な移行範囲である。この到達範囲は、例えば、レーダセンサ装置の範囲外にある領域に対応する占有グリッドのセルに１／２の占有確率を割り当てることによって考慮することができる。
【００１８】
本方法のさらなる好ましい実施形態によれば、逆センサモデルを生成するために評価されるレーダ測定データは、レーダ断面積および角度確率を含む。
【図面の簡単な説明】
【００１９】
【図１】逆センサモデルを生成するための装置を示す概略的なブロック図である。
【図２】テストシナリオを示す概略的な上面図である。
【図３】テストシナリオのための占有確率の例示的な距離関係性を示す図である。
【図４】任意に設定された周囲シナリオのための占有確率の例示的な距離関係性を示す図である。
【図５】レーダ反射がない場合の占有確率の例示的な距離依存性を示す図である。
【図６】例示的な占有グリッドを示す図である。
【図７】逆センサモデルを生成する方法もしくは障害物を検出する方法のフロー図である。
【発明を実施するための形態】
【００２０】
図１は、レーダセンサ装置２１の逆センサモデルを生成するための装置１の概略ブロック図を示す。レーダセンサ装置２１は、レーダ波を送信し、反射されたレーダ波を受信するように構成された多数の個々のトランシーバ装置を有していてもよい。
【００２１】
レーダセンサ装置２１は、好ましくは、車両２に組み込まれている。レーダセンサ装置２１はレーダ測定を実行し、対応するレーダ測定データを生成し、このレーダ測定データは信号接続を介して装置１のインタフェース１１に伝送される。装置１のインタフェース１１は、さらに、レーダセンサ装置２１の周囲の障害物の正確な空間位置および寸法をインタフェース１１に伝送する外部の計算装置３に結合されている。空間的位置は、特にレーダセンサ装置２１の位置に対して示すことができる２次元またはは３次元の位置座標を含んでいてもよい。寸法は、障害物の正確な空間寸法および正確な形状を含んでいてもよい。さらに、障害物の材料品質に関する情報を計算装置３からインタフェース１１に送信することができる。障害物は、レーダ波を反射する任意の物体、例えば、車両、人間、ガードレール、建物の一部、樹木または灌木であってもよい。障害物についての情報、すなわち特に、空間的位置、寸法、および必要に応じて材料特性は、ユーザインターフェースを介してユーザが入力し、計算装置３のメモリに記憶させることができる。付加的または代替的に、計算装置３は、障害物に関する情報を決定するさらなるセンサに関連付けることができる。例えば、付加的なセンサは、カメラまたはライダーセンサを含んでいてもよい。
【００２２】
インタフェース１１を介して受信された障害物に関する情報および受信されたレーダ測定データは、このデータをさらに処理するように構成された計算装置１２に送信される。
【００２３】
計算装置１２および計算装置３は、データを処理し、計算を行うための１つまたは複数のマイクロプロセッサを含んでいてもよい。計算装置１２は、受信したレーダ測定データと、障害物の設定された寸法および空間的位置に関する情報とを使用してレーダセンサ装置２１の逆センサモデルを計算する。
【００２４】
逆センサモデルは、占有グリッドを生成するために使用することができるモジュールとして理解される。占有グリッドのそれぞれのセルには、あらかじめ設定された現在のレーダ測定データの関数として占有確率が割り当てられる。現在のレーダ測定データが利用可能である場合には、占有確率は対応するセルが占有されている確率に対応する。占有確率に基づいてセルの占有値を決定することができる。占有値は、好ましくは、値「占有」または「１」および「空き」または「０」を有する２進値をとることができる。占有値は、さらに値「未知」をとることができ、例えば、値１／２によって表すことができる３値であってもよい。さらなる実施形態によれば、占有値は、０と１との間の連続値をとることができる。占有グリッド自体は対称グリッドであることが好ましく、計算された占有値がそれぞれのセルに割り当てられる。通常、占有グリッドは車両の周囲をモデル化しており、したがって、車両の周囲の固定要素に対して固定されている。これは、車両自体および他の動的オブジェクトが占有グリッドを通って移動することを意味する。車両２の移動中には新しいセンサデータが生成され、これらのセンサデータは占有グリッドを更新するために使用される、すなわち、占有グリッドのセルの占有値の動的調整のために使用される。特に、現在のレーダ測定データを用いて生成された逆センサモデルに基づいて占有グリッドのセルの対応する占有確率を決定することができる。占有確率を使用してセルの占有値を動的に適応させることができる。特に、「バイナリベイズフィルタ」と呼ばれる再帰更新方程式を使用して、すなわち、測定履歴全体を考慮してそれぞれのセルの事後確率を計算することができる。一実施形態によれば、個々のセルは、このために条件付きで互いに独立していると仮定することができる。
【００２５】
占有グリッドは周囲の２次元の記述を可能にし、車両の周囲の障害物および通行可能な領域の両方が検出される。したがって、占有グリッドは、空きスペースモデリング化もしくは空き領域モデル化を可能にする。
【００２６】
生成された逆センサモデルは、逆センサモデルに基づいて獲得したレーダ計測値によって障害物を検出し、車両２を半自律的に、または自律的に制御する運転支援システム２２に送信することができる。
【００２７】
計算装置１２による逆センサモデルの生成を以下により詳細に説明する。
【００２８】
図２は例示的なテストシナリオを示す。すなわち、レーダセンサ装置２１を所定の障害物４１〜４４を有する周囲に位置決めする。レーダセンサ装置２１は、好ましくは、所定の経路７に沿って移動し、あらゆる時点においてレーダセンサ装置２１に対する障害物４１〜４４の正確な位置が計算装置３によって決定され、装置１に伝送される。レーダセンサ装置２１は、近傍領域５１のレーダ測定データおよび遠方領域５２のレーダ測定データを決定し、検出された領域は、それぞれの検出角度ａ１、ａ２および到達範囲６１、６２によって特徴づけられている。それぞれのレーダ計測データには、障害物４１〜４４に関するそれぞれの情報が割り当てられている。レーダ測定データは、全てのレーダ反射（位置）の全体およびそれらの特性、特に、対応する角度確率およびレーダ断面積を含む。
【００２９】
障害物の寸法および空間的位置を使用して、計算装置１２は、それぞれのレーダ測定データに占有グリッドのセルの対応する占有確率を割り当てることができる。
【００３０】
図３は、このことを視線８に沿った占有グリッドのセルの例として示している。第１の障害物４１までの距離ｘ１より小さい距離ｘについては、占有確率は０である。視線８に沿ってレーダセンサ装置２１から距離ｘ１にあるセルについては、この位置には確かに障害物４１があるので、占有確率は１である。さらに離れた領域は障害物４１によって覆われているので、これらの領域については言及することができない。対応して、占有確率に１／２の値を割り当てることができる。
【００３１】
受信されたそれぞれのレーダ測定データについて、計算装置１２は、この例と同様に、障害物４１〜４４に関する情報を使用して占有グリッドのすべてのセルについての占有確率を計算する。これらの決定された占有確率はニューラルネットワークのための入力データを形成し、計算装置１２はニューラルネットワークを用いて逆センサモデルを計算する。ニューラルネットワークのためのさらなる入力データは、車両カメラまたはライダーセンサからの付加的なセンサデータであってもよい。逆センサモデルによって任意のレーダ測定データを評価することができ、占有グリッドのセルにそれぞれの対応する占有確率を割り当てることができる。
【００３２】
図４は、これことを特定の視線に沿った例示的なシナリオについて示している。占有確率は、一般的なシナリオについて０、１／２、および１の値をとるだけでなく、一般に０と１の間の任意の値をとる。測定が不正確である可能性およびノイズに基づいて反射がない場合であっても、確率は一般に０に等しくなく、反射を受信する場合であっても正確な位置ｘ２は一般にわかっていないが、占有確率は一般に１に近い値まで連続的に増大する。より大きな距離の場合にはこの値は、占有については再び述べることができないので、実質的に１／２に低下する。
【００３３】
図５は、逆センサモデルによって決定された占有確率の別の例示的な距離との関係性を示す。この場合、検査される視線に沿って受信されるレーダ反射は実質的に全くないか、またはほんのわずかである。したがって、占有確率は、より小さい距離については実質的にゼロである。しかしながら、占有確率は、より大きな距離については増大し、レーダセンサ装置２１の到達範囲ｘ３を超えると、この距離範囲については述べることができないので、再び値１／２をとる。
【００３４】
逆センサモデルＢｉｌｋを生成する場合には、レーダセンサ装置２１の到達範囲ｘ３を考慮することができる。例えば、図２に示す障害物４４は、レーダセンサ装置２１の到達範囲外にあるので検出されない。レーダセンサ装置２１が経路７に沿って接近した場合にようやく障害物４４はレーダセンサ装置２１の検出領域内に移動する。逆センサモデルが機械学習によって、例えば深いニューラルネットワークを使用することによって生成される場合にもこのようなシナリオが学習される。
【００３５】
図６は、生成された逆センサモデルによって生成することができる例示的な占有グリッド９を示す。占有グリッド９は、占有確率を決定するための逆センサモデルを使用して、新たに生成されたレーダ測定データを評価し、決定された占有確率に基づいて占有値を更新することによって動的に更新される。新しい占有値は、例えば、ベイズフィルタを使用して決定することができる。割り当てグリッド９の個々のセル９−１１〜９−ｍｎ（ここで、ｍおよびｎは自然数である）には、対応して、０（空き）または１（占有、×印が付けられている）の占有値が割り当てられる。セル９−ｉｊの占有値は、特に、新しい測定が対応するセル９−ｉｊの高い占有確率をもたらす場合に変化する。
【００３６】
占有確率は、さらなるセンサデータに基づいて検出されたさらなる占有確率と混合することができる。さらなるセンサデータは、例えば、車両カメラまたはライダーセンサに基づいて生成することができ、これにより占有確率のより正確な決定が可能である。
【００３７】
図７は、レーダセンサ装置２１のための逆センサモデルを生成する方法および障害物を検出する方法のフロー図を示す。逆センサモデルを生成する方法Ｓ０は、方法ステップＳ１〜Ｓ５を含み、障害物を検出する方法は、付加的な方法ステップＳ６〜Ｓ９を含む。
【００３８】
第１の方法ステップＳ１では、障害物４１〜４４がレーダセンサ装置２１の周囲に配置される。障害物４１〜４４の寸法、空間的位置、および必要に応じて、使用される材料もしくは反射特性に関する情報が決定される。これらの情報は、付加的なセンサ装置によって生成することができる。代替的に、障害物４１〜４４は、これらの空間的位置がわかるように配置することができる。対応する情報は、周囲モデルを生成するための装置１にユーザが手動で送信することができる。レーダセンサ装置２１は、方法ステップＳ２においてレーダ測定データを生成する。
【００３９】
好ましくは、このために、レーダセンサ装置２１は、障害物４１〜４４に対して移動され、障害物４１〜４４とレーダセンサ装置２１との間の対応する相対的な向きは、あらゆる検出時点でわかっている。代替的または付加的に、障害物４１〜４４をレーダセンサ装置２１に対して移動させることもできる。
【００４０】
方法ステップＳ３において、生成されたレーダ測定データおよび所定の情報、すなわち特に、障害物４１〜４４の寸法および空間的位置を使用して逆センサモデルが生成される。逆センサモデルは、特に、上述した方法のうちの１つを使用して上述した計算装置１２によって生成することができる。
【００４１】
特に、占有グリッド９のセル９〜ｉｊに、障害物４１〜４４に関する情報に基づいて占有確率を割り当てることができ、これらの占有確率を対応するレーダ測定データに結び付けることができる。これらの結び付けられたデータはニューラルネットワークの入力データとして使用される。さらに、ニューラルネットワークの入力データとしてさらなるセンサデータを使用することができる。逆センサモデルは、任意に設定されたレーダ測定データの関数として占有グリッド９のセル９〜ｉｊに対応する占有確率を割り当てるニューラルネットワークによって生成される。
【００４２】
方法ステップＳ４では、逆センサモデルを生成し、適合させるためのさらなるレーダ測定データが考慮されるべきかどうかをチェックする。必要に応じて、新しいレーダ測定データが生成され（Ｓ２）、それに応じて逆センサモデルが適合される（Ｓ３）。特に、ニューラルネットワークによって、新しいデータを使用して逆センサモデルのパラメータを適合させることができる。
【００４３】
さらなるレーダ測定データが考慮されるべきでない場合、生成された逆センサモデルは、方法ステップＳ５において出力される。
【００４４】
さらなる任意選択のステップＳ６〜Ｓ９では、生成された逆センサモデルを使用して、車両２の周囲の障害物４１〜４４を検出することができる。
【００４５】
このために、方法ステップＳ６では、ステップＳ１〜Ｓ５で使用されるレーダセンサ装置２１と同一または構造が同じレーダセンサ装置２１によってレーダ測定データが生成される。
【００４６】
方法ステップＳ７において、占有グリッドが生成もしくは更新され、逆センサモデルに基づいて、レーダ測定データを用いて、占有グリッド９のセル９−ｉｊに対する占有確率が入力データ決定される。さらに占有確率は、占有グリッド９のセル９〜ｉｊの占有値を生成するために、または既に存在する場合にはそれらを更新するために使用される。
【００４７】
方法ステップＳ８において、障害物４１〜４４が占有グリッド９を用いて検出される。障害物４１〜４４は、占有されている領域に対応する。すなわち、占有グリッド９の対応するセル９〜ｉｊは、１の占有値を有する。
【００４８】
さらに、随意の方法ステップＳ９では、検出された障害物４１〜４４に基づいて車両２の運転機能を制御することができる。
【００４９】
特に、車両２を加速または制動することができ、車両の進行方向を適合させることもできる。
【図１】
2020537140.tif 000003
【図２】
2020537140.tif 000004
【図３】
2020537140.tif 000005
【図４】
2020537140.tif 000006
【図５】
2020537140.tif 000007
【図６】
2020537140.tif 000008
【図７】
2020537140.tif 000009
【国際調査報告】
2020537140.tif 000010
2020537140.tif 000011
2020537140.tif 000012
2020537140.tif 000013
2020537140.tif 000014